(57)【要約】【課題】楽曲からユーザーが所望の部分を抽出可能とすること。【解決手段】ＣＰＵ２は、楽曲を構成する複数のパートにおいて、各パートに含まれる歌詞が、所定のキーワードに相応しいか否かを示すスコアを算出する。また、ＣＰＵ２は、算出したスコアに基づいて、複数のパートから再生パートを選出する。具体的には、ＣＰＵ２は、複数のパートから、スコアが最も高いパートを再生パートに選出する。また、ＣＰＵ２は、再生パートのうち、スコアに最も寄与度が高いフレーズを求め、求めたフレーズを含む所定の時間を再生区間として選出する。【選択図】図２
2019144419.tif 000002
【特許請求の範囲】
【請求項１】
制御部を備え、
前記制御部は、
楽曲を構成する複数のパートにおいて、各パートに含まれる歌詞が、所定のキーワードに相応しいか否かを示すスコアを算出し、
算出したスコアに基づいて、複数のパートから再生パートを選出することを特徴とする音楽再生装置。
【請求項２】
前記制御部は、複数のパートから、最もスコアの高いパートを再生パートに選出することを特徴とする請求項１に記載の音楽再生装置。
【請求項３】
前記制御部は、複数の楽曲において、各楽曲から再生パートを選出し、選出した再生パートを連続して再生することを特徴とする請求項１又は２に記載の音楽再生装置。
【請求項４】
前記制御部は、
再生パートのうち、スコアに最も寄与度が高いフレーズを求め、求めたフレーズを含む所定の時間を再生区間として選出することを特徴とする請求項１又は２に記載の音楽再生装置。
【請求項５】
前記制御部は、
再生パートのうち、スコアに最も寄与度が高いフレーズを求め、求めたフレーズを中心とした所定の時間を再生区間として選出することを特徴とする請求項１、２又は４に記載の音楽再生装置。
【請求項６】
前記制御部は、複数の楽曲において、各楽曲から再生区間を選出し、選出した再生区間を連続して再生することを特徴とする請求項４又は５に記載の音楽再生装置。
【請求項７】
前記制御部は、連続する２つの楽曲をクロスフェード再生することを特徴とする請求項３又は６に記載の音楽再生装置。
【請求項８】
前記制御部は、楽曲を間奏で区切ることにより、楽曲を複数のパートに分割することを特徴とする請求項１〜７のいずれか１項に記載の音楽再生装置。
【請求項９】
前記制御部は、楽曲のうち、歌詞がない部分を間奏に決定することを特徴とする請求項８に記載の音楽再生装置。
【請求項１０】
前記制御部は、所定のキーワードの指定を受け付けることを特徴とする請求項１〜９のいずれか１項に記載の音楽再生装置。
【請求項１１】
楽曲を構成する複数のパートにおいて、各パートに含まれる歌詞が、所定のキーワードに相応しいか否かを示すスコアを算出し、
算出したスコアに基づいて、複数のパートから再生パートを選出することを特徴とする音楽再生方法。
【請求項１２】
コンピュータに、
楽曲を構成する複数のパートにおいて、各パートに含まれる歌詞が、所定のキーワードに相応しいか否かを示すスコアを算出させ、
算出させたスコアに基づいて、複数のパートから再生パートを選出させるための音楽再生プログラム。
【発明の詳細な説明】
【技術分野】
【０００１】
本発明は、音楽再生装置、音楽再生方法、及び、音楽再生プログラムに関する。
【背景技術】
【０００２】
音楽の聴き放題サービスが流行するとともに、１曲の楽曲の中から、ユーザーの所望する部分を抽出して再生するという需要が増し始めている。楽曲の一部分だけを抽出して再生する方法として、特許文献１に記載の発明が存在する。特許文献１に記載の発明においては、楽曲のゲインの大きいところをサビとみなして抽出し、その部分を再生するようになっている。
【先行技術文献】
【特許文献】
【０００３】
【特許文献１】特開２００９−０９３７７９号公報
【発明の概要】
【発明が解決しようとする課題】
【０００４】
特許文献１に記載の発明によれば、楽曲のサビと推定される部分だけを連続して再生し、ユーザーに聴取させることを実現可能である。しかしながら、ユーザーが所望の部分がサビに含まれていない場合、ユーザーが所望の部分を聴取できないという問題がある。
【０００５】
本発明の目的は、楽曲からユーザーが所望の部分を抽出可能とすることである。
【課題を解決するための手段】
【０００６】
第１の発明の音楽再生装置は、制御部を備え、前記制御部は、楽曲を構成する複数のパートにおいて、各パートに含まれる歌詞が、所定のキーワードに相応しいか否かを示すスコアを算出し、算出したスコアに基づいて、複数のパートから再生パートを選出することを特徴とする。
【０００７】
本発明では、制御部は、楽曲を構成する複数のパートにおいて、各パートに含まれる歌詞が、所定のキーワードに相応しいか否かを示すスコアを算出する。そして、制御部は、算出したスコアに基づいて、複数のパートから再生パートを選出する。これにより、所定のキーワードをユーザーが指定し、最もスコアの高いパートを再生パートに選出すれば、ユーザーが指定したキーワードに基づいて、楽曲からユーザーが所望する部分を抽出することができる。
【０００８】
第２の発明の音楽再生装置は、第１の発明の音楽再生装置において、前記制御部は、複数のパートから、最もスコアの高いパートを再生パートに選出することを特徴とする。
【０００９】
本発明では、制御部は、複数のパートから、最もスコアの高いパートを再生パートに選出する。これにより、所定のキーワードをユーザーが指定すれば、ユーザーが指定したキーワードに基づいて、楽曲からユーザーが所望する部分を抽出することができる。
【００１０】
第３の発明の音楽再生装置は、第１又は第２の発明の音楽再生装置において、前記制御部は、複数の楽曲において、各楽曲から再生パートを選出し、選出した再生パートを連続して再生することを特徴とする。
【００１１】
本発明では、制御部は、複数の楽曲において、各楽曲から再生パートを選出し、選出した再生パートを連続して再生する。これにより、ユーザーは、所望する部分を連続して聴取することができる。
【００１２】
第４の発明の音楽再生装置は、第１又は第２の発明の音楽再生装置において、前記制御部は、再生パートのうち、スコアに最も寄与度が高いフレーズを求め、求めたフレーズを含む所定の時間を再生区間として選出することを特徴とする。
【００１３】
本発明では、制御部は、再生パートのうち、スコアに最も寄与度が高いフレーズを求め、求めたフレーズを含む所定の時間を再生区間として選出する。これにより、楽曲からさらにユーザーの所望度が高い部分を選出することができる。
【００１４】
第５の発明の音楽再生装置は、第１、第２、又は第４の発明の音楽再生装置において、前記制御部は、再生パートのうち、スコアに最も寄与度が高いフレーズを求め、求めたフレーズを中心とした所定の時間を再生区間として選出することを特徴とする。
【００１５】
第６の発明の音楽再生装置は、第４又は第５の発明の音楽再生装置において、前記制御部は、複数の楽曲において、各楽曲から再生区間を選出し、選出した再生区間を連続して再生することを特徴とする。
【００１６】
本発明では、制御部は、複数の楽曲において、各楽曲から再生区間を選出し、選出した再生区間を連続して再生する。これにより、ユーザーは、所望する部分を連続して聴取することができる。
【００１７】
第７の発明の音楽再生装置は、第３又は第６の音楽再生装置において、前記制御部は、連続する２つの楽曲をクロスフェード再生することを特徴とする。
【００１８】
第８の発明の音楽再生装置は、第１〜第７のいずれかの発明の音楽再生装置において、前記制御部は、楽曲を間奏で区切ることにより、楽曲を複数のパートに分割することを特徴とする。
【００１９】
第９の発明の音楽再生装置は、第８の発明の音楽再生装置において、前記制御部は、楽曲のうち、歌詞がない部分を間奏に決定することを特徴とする。
【００２０】
第１０の発明の音楽再生装置は、第１〜第９のいずれかの発明の音楽再生装置において、前記制御部は、所定のキーワードの指定を受け付けることを特徴とする。
【００２１】
本発明では、制御部は、所定のキーワードの指定を受け付ける。これにより、ユーザーは、所望のキーワードを指定することができる。
【００２２】
第１１の発明の音楽再生方法は、楽曲を構成する複数のパートにおいて、各パートに含まれる歌詞が、所定のキーワードに相応しいか否かを示すスコアを算出し、算出したスコアに基づいて、複数のパートから再生パートを選出することを特徴とする。
【００２３】
第１２の発明の音楽再生プログラムは、コンピュータに、楽曲を構成する複数のパートにおいて、各パートに含まれる歌詞が、所定のキーワードに相応しいか否かを示すスコアを算出させ、算出させたスコアに基づいて、複数のパートから再生パートを選出させる。
【発明の効果】
【００２４】
本発明によれば、楽曲からユーザーが所望の部分を抽出することができる。
【図面の簡単な説明】
【００２５】
【図１】本発明の実施形態に係るスピーカー装置の構成を示すブロック図である。
【図２】所定のキーワードに相応しい歌詞が含まれる再生パートの選出について説明するための図である。
【図３】キーワードを利用して楽曲から再生区間選出を行い、記憶部に記憶されている（ローカルの）楽曲を連続して再生する処理について説明するための図である。
【発明を実施するための形態】
【００２６】
以下、本発明の実施形態について説明する。図１は、本発明の実施形態に係るスピーカー装置の構成を示すブロック図である。図１に示すように、スピーカー装置１（音楽再生装置）は、ＣＰＵ２、記憶部３、表示部４、操作部５、ＤＳＰ６、Ｄ／Ａコンバーター（以下、「ＤＡＣ」という。）７、増幅回路８、スピーカー９、無線モジュール１０を備える。
【００２７】
ＣＰＵ（Central Processing Unit）２（制御部）は、制御プログラム、ＯＳプログラム、音楽再生プログラムＰを含むアプリケーションプログラムに従って、スピーカー装置１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、音楽再生プログラムＰを含むアプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等を含んでいてもよい。
【００２８】
表示部４は、電源のオン／オフ等を表示するＬＥＤ、種々の画像（静止画像、動画像を含む）を表示する液晶パネル等から、構成されている。操作部５は、各種設定を行うための操作キー、及び、表示部４と連動したタッチパネルを備えている。ユーザーは、操作部５を介して、各種の文字入力、設定、後述するキーワードの指定等を行うことが可能である。なお、例えば、スピーカー装置１が音声認識機能を備えている場合、表示部４は、電源のオン／オフ等を示すＬＥＤ等の最小限の要素で構成される。また、操作部５は、電源のオン／オフの操作を受け付けるための電源ボタン等の最小限の要素で構成される。スピーカー装置１が音声認識機能を備えている場合、ユーザーは、音声により、後述するキーワードの指定を行うことが可能である。
【００２９】
ＤＳＰ（Digital Signal Processor）６は、デジタルオーディオデータに、イコライザー処理等の信号処理を行う。ＤＡＣ７は、デジタルオーディオデータをアナログオーディオデータにＤ／Ａ変換する。増幅回路８は、ＤＡＣ７がＤ／Ａ変換したアナログオーディオデータを増幅し、スピーカー９に出力する。スピーカー９は、増幅回路８が出力したアナログオーディオデータに基づいて、音声を出力する。無線モジュール１０は、Ｂｌｕｅｔｏｏｔｈ（登録商標）規格、Ｗｉ−Ｆｉ規格に従った無線通信を行うためのものである。なお、音声を再生するためのデジタルオーディオデータは、記憶部３に記憶されているデータであってもよいし、無線モジュール１０を介して、外部の機器から送信されるデータであってもよい。
【００３０】
例えば、ＣＰＵ２が音楽再生プログラムＰに従って動作することで、スピーカー装置１は、音楽を再生する音楽再生装置として機能する。
【００３１】
以下、所定のキーワードに相応しい歌詞が含まれる再生パートの選出について説明する。まず、ＣＰＵ２は、キーワードの指定を受け付ける。ユーザーは、操作部５を介して、キーワードを指定する。ここで、キーワードは、例えば、「ラブソング」、「夏の歌」等である。なお、キーワードは、ユーザーが自由に指定できるようにしてもよいし、複数のキーワードからユーザーが選択できるようにしてもよい。次に、ＣＰＵ２は、楽曲のうち、歌詞がない部分を間奏に決定する。ここで、楽曲の歌詞情報には、歌詞と歌詞の再生時間の情報とが対応付けられている。
【００３２】
ＣＰＵ２は、楽曲を間奏で区切ることにより、楽曲を複数のパートに分割する。例えば、図２（ａ）に示すように、ＣＰＵ２は、楽曲を２つの間奏で区切ることにより、楽曲を３つのパート（パートＡ、パートＢ、パートＣ）に分割する。次に、ＣＰＵ２は、楽曲を構成する複数のパートにおいて、各パートに含まれる歌詞が、キーワードに相応しいか否かを示すスコアを算出する。ここで、例えば、キーワードが「ラブソング」である場合、「愛」、「恋」等のフレーズが、スコアに対する寄与度が高くなる。また、キーワードが「夏の歌」である場合、「海」、「太陽」、「アイスクリーム」等のフレーズが、スコアに対する寄与度が高くなる。例えば、図２（ｂ）に示すように、ＣＰＵ２は、パートＡのスコア：１００、パートＢのスコア：１５０、パートＣのスコア：６０を算出する。
【００３３】
そして、ＣＰＵ２は、算出したスコアに基づいて、複数のパートから再生パートを選出する。具体的には、ＣＰＵ２は、複数のパートから、最もスコアの高いパートを再生パートに選出する。例えば、図２（ｃ）に示すように、ＣＰＵ２は、複数のパートＡ−Ｃのうち、最もスコアの高いパートＢを再生パートに選出する。なお、ＣＰＵ２は、最もスコアの高いパートを再生パートに選出しなくてもよく、例えば、２番目以降にスコアの高いパートを再生パートに選出してもよい。
【００３４】
ＣＰＵ２は、複数の楽曲において、各楽曲から再生パートを選出し、選出した再生パートを連続して再生する。ＣＰＵ２は、連続する２つの楽曲をクロスフェード再生する。すなわち、ＣＰＵ２は、前の曲を所定時間からフェードアウト再生し、次の曲を所定時間からフェードイン再生する。
【００３５】
ここで、再生時間をさらに短くする構成について説明する。ＣＰＵ２は、選出した再生パートのうち、スコアに最も寄与度が高いフレーズを求め、求めたフレーズを含む所定の時間を再生区間として選出する（図２（ｃ）参照。）。ここで、求めるフレーズは、「海」、「太陽」等の単語であってもよいし、「太陽の下、海でアイスクリームを食べた」等の複数の単語の組み合わせであってもよい。また、歌詞の情報が、所定の箇所で改行され、複数の行で得られる場合は、求めるフレーズを行単位としてもよい。なお、ＣＰＵ２は、選出した再生パートのうち、スコアに最も寄与度が高いフレーズを求めず、２番目以降にスコアに寄与度が高いフレーズを求めてもよい。
【００３６】
本実施形態では、ＣＰＵ２は、求めたフレーズを中心に所定の時間を再生区間として選出する（図２（ｄ）参照。）。例えば、ＣＰＵ２は、求めたフレーズを中心に前後３０秒の計６０秒を再生区間として選出する。ＣＰＵ２は、複数の楽曲において、各楽曲から再生区間を選出し、選出した再生区間を連続して再生する。ＣＰＵ２は、連続する２つの楽曲をクロスフェード再生する。
【００３７】
次に、キーワードを利用して楽曲から再生区間の選出を行い、記憶部３に記憶されている（ローカルの）楽曲を連続して再生する処理について説明する。ＣＰＵ２は、ローカルの楽曲の曲調と歌詞とを解析し、解析データから、ユーザーが聴取したいと思っている楽曲を検索する（図３（ａ）参照。）。ＣＰＵ２は、該当する各楽曲に対して、上述したように、再生区間を選出し、再生区間の開始位置、終了位置をリスト化する（図３（ｂ）参照。）。ＣＰＵ２は、各楽曲をリストに記載された開始位置から再生し、終了位置まで到達したらフェードアウトさせる。また、ＣＰＵ２は、フェードアウトにあわせ、次の楽曲を開始位置よりフェードインさせ、再生する。
【００３８】
以上説明したように、本実施形態では、ＣＰＵ２は、楽曲を構成する複数のパートにおいて、各パートに含まれる歌詞が、所定のキーワードに相応しいか否かを示すスコアを算出する。そして、ＣＰＵ２は、算出したスコアに基づいて、複数のパートから再生パートを選出する。これにより、所定のキーワードをユーザーが指定し、最もスコアの高いパートを再生パートに選出すれば、ユーザーが指定したキーワードに基づいて、楽曲からユーザーが所望する部分を抽出することができる。
【００３９】
また、本実施形態では、ＣＰＵ２は、複数のパートから、最もスコアの高いパートを再生パートに選出する。これにより、所定のキーワードをユーザーが指定すれば、ユーザーが指定したキーワードに基づいて、楽曲からユーザーが所望する部分を抽出することができる。
【００４０】
また、本実施形態では、ＣＰＵ２は、複数の楽曲において、各楽曲から再生パートを選出し、選出した再生パートを連続して再生する。これにより、ユーザーは、所望する部分を連続して聴取することができる。
【００４１】
また、本実施形態では、ＣＰＵ２は、再生パートのうち、スコアに最も寄与度が高いフレーズを求め、求めたフレーズを含む所定の時間を再生区間として選出する。これにより、楽曲からさらにユーザーの所望度が高い部分を選出することができる。
【００４２】
また、本実施形態では、ＣＰＵ２は、複数の楽曲において、各楽曲から再生区間を選出し、選出した再生区間を連続して再生する。これにより、ユーザーは、所望する部分を連続して聴取することができる。
【００４３】
また、本実施形態では、制御部は、所定のキーワードの指定を受け付ける。これにより、ユーザーは、所望のキーワードを指定することができる。
【００４４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４５】
上述の実施形態においては、音楽再生装置として、スピーカー装置を例示した。これに限らず、携帯型のデジタルオーディオプレーヤー、スマートフォン、タブレットＰＣ等であってもよい。
【産業上の利用可能性】
【００４６】
本発明は、音楽再生装置、音楽再生方法、及び、音楽再生プログラムに好適に採用され得る。
【符号の説明】
【００４７】
１  スピーカー装置（音楽再生装置）
２  ＣＰＵ（制御部）
３  記憶部
９  スピーカー
Ｐ  音楽再生プログラム
【図１】
2019144419.tif 000003
【図２】
2019144419.tif 000004
【図３】
2019144419.tif 000005